(57)【特許請求の範囲】
【請求項１】
頭部、頸部および胸部を経て腰部の一部を支える枕部と、当該枕部を載置し、且つ、前記頸部から前記胸部を経て前記腰部の他部を支えるシート状のマット部、で成るマット付き枕であって、
前記枕部は、頭部用凹溝部を、当該枕部の頭部側の幅方向に向かって備え、且つ当該頭部側より分岐した傾斜部（１１ｂ）、および腰部水平状部（１２ｂ）を、当該枕部の縦方向に向かって備え、
前記マット部は、前記枕部を架承し、且つ胸部傾斜部（１１ａ）、および腰部水平状部（１２ａ）を、当該マット部の縦方向に向かって備え、
前記枕部は、平面視してＴ字形状に形成し、前記マット部に形成したＴ字形状薄肉部に載置し、
且つ当該枕部の素材は、当該マット部の素材より固い素材を採用することを特徴としたマット付き枕。
【請求項２】
前記枕部には、前記頭部用凹溝部に併設するように、前記頭部側に頭上側凸条部、及び、当該枕部の頸部側に頸部側凸条部、を備える構成とした請求項１に記載のマット付き枕。
【請求項３】
前記固い素材は、ポリウレタン層であって、
前記枕部の前記傾斜部（１１ｂ）および前記腰部水平状部（１２ｂ）の幅方向の長さは、
前記マット付き枕の幅方向全体の２０％〜４０％を占める構成とした請求項１に記載のマット付き枕。
【請求項４】
前記枕部の前記傾斜部（１１ｂ）および前記腰部水平状部（１２ｂ）は、前記ポリウレタン層を採用する構成とした請求項３に記載のマット付き枕。
【請求項５】
前記ポリウレタン層は、低反発性ポリウレタン、高通気性ポリウレタン、または、高密度・高反発性ポリウレタンの何れかでなる構成とした請求項３又は４の何れか一項に記載のマット付き枕。
【請求項６】
前記マット部における前記腰部側の端辺は、滑り止め手段を備え、斜め上向きに凸の曲面を備える構成とした請求項１から４の何れか一項に記載のマット付き枕。
【発明の詳細な説明】
【技術分野】
【０００１】
本発明は、マット付き枕に関する。
【背景技術】
【０００２】
この種のマット付き枕に関し、例えば、所定の高さを有して頭部を載置する弾性を備えた頭部支持部と、係る頭部支持部よりも高さが低く頸椎部を載置する弾性を備えた頸椎部支持部と、係る頸椎部支持部よりも高さが更に低く上部胸椎部を載置する弾性を備えた胸椎部支持部と、を水平方向に沿って順に備え、頭部支持部と頸椎部支持部と胸椎部支持部とによって構成される枕全体の側断面形状が略三角形状であり、頭部支持部と頸椎部支持部との間に、下方に窪む第１の溝を有する枕が提案されている（例えば、特許文献１参照）。
【０００３】
特許文献１の枕では、利用者の頸椎部にかかる負担を低減し、上部頸椎部が動き易い状態となるので、就寝時に身体のバランスが保たれ、リラックスした就寝が得られる、と記載されている。
【０００４】
更に、利用者の頭部を支える第１の支持部と、首部を支える第２の支持部と、肩部および胸部を支える第３の支持部と、を備え、第２の支持部、第１の支持部、および第３の支持部の順で固さが固い高反発ウレタン素材からなり、第３の支持部における胸部側の端部は、水平面から１０度〜２０度の傾斜角度とした枕も提案されている（例えば、特許文献２参照）。
【０００５】
特許文献２の枕では、簡単な形状を採用しつつ、利用者の頭部および首だけでなく、肩全体および胸部も支え、首（頸椎）への負担を和らげられるため、利用者にとって楽で且つ快適な就寝を得られる、と記載されている。
【先行技術文献】
【特許文献】
【０００６】
【特許文献１】特許第５５６９６３７号公報
【特許文献２】特開２０１９−１１０９６６号公報
【発明の概要】
【発明が解決しようとする課題】
【０００７】
しかし、特許文献１，２に記載の枕では、利用者の上部胸椎部あるいは胸部までしか支えていないため、頸椎、胸椎、および腰椎に亘る脊椎のほぼ全体が、側面視で緩く滑らかで自然な曲線状になり難い。その結果、利用者の頸椎に加わる負担を十分に低減できず、食道、肺、胃、心臓などの上半身の気管や臓器に対して、不要な圧迫感を与えかねないと共に、例えば、仰向きの仰臥から横向きの側臥への寝返りをスムーズで且つ自然に行いにくい、という問題点があった。
【０００８】
本発明は、前述の問題点を解決し、就寝時における利用者の脊椎のほぼ全体を緩く滑らかで自然な曲線状に支持し、頸椎に加わる負担を十分に低減でき、上半身の気管や臓器に対し、不要な圧迫感を与えにくいと共に、寝返りを、スムーズ且つ自然に行えるマット付き枕を提供する。
【課題を解決するための手段】
【０００９】
本発明のマット付き枕は、
頭部、頸部および胸部を経て腰部の一部を支える枕部と、枕部を載置し、且つ、頸部から胸部を経て腰部の他部を支えるシート状のマット部で成るマット付き枕であって、
枕部は、頭部用凹溝部を、枕部の頭部側の幅方向に向かって備え、且つ頭部側より分岐した傾斜部（１１ｂ）、および腰部水平状部（１２ｂ）を、枕部の縦方向に向かって備え、
マット部は、枕部を架承し、且つ胸部傾斜部（１１ａ）、および腰部水平状部（１２ａ）を、マット部の縦方向に向かって備え、
枕部は、平面視してＴ字形状に形成し、マット部に形成したＴ字形状薄肉部に載置し、
且つ枕部の素材は、マット部の素材より固い素材を採用することを特徴としている。
【００１０】
枕部には、頭部用凹溝部に併設するように、頭部側に頭上側凸条部、及び、枕部の頸部側に頸部側凸条部、を備える構成としてもよい。
【００１１】
固い素材は、ポリウレタン層であって、
枕部の傾斜部（１１ｂ）および腰部水平状部（１２ｂ）の幅方向の長さは、
マット付き枕の幅方向全体の２０％〜４０％を占めていてもよい。
【００１２】
枕部の傾斜部（１１ｂ）および腰部水平状部（１２ｂ）は、ポリウレタン層を採用する構成としてもよい。
【００１３】
ポリウレタン層は、低反発性ポリウレタン、高通気性ポリウレタン、または、高密度・高反発性ポリウレタンの何れかでなってもよい。
【００１４】
マット部における腰部側の端辺は、滑り止め手段を備え、斜め上向きに凸の曲面を備える構成としてもよい。
【発明の効果】
【００１６】
本発明のマット付き枕によれば、固いポリウレタン層を平面視でＴ字形状とし、これ以外の部分（マット部）の上面側に形成された相似形状の凹部（Ｔ字形状薄肉部）内に嵌め込むため、容易に且つ精度良く組み立てられるので、全体が強固に一体となったマット付き枕を提供できる。
【図面の簡単な説明】
【００１７】
【図１】本発明による一実施形態のマット付き枕を示す斜視図
【図２】本発明のマット付き枕の身長方向に沿った側面図
【図３】本発明のマット付き枕の分解斜視図
【図４】マット部の傾斜面と水平面表面に滑り止め手段を設けた場合の斜視図
【図５】（イ）と（ロ）は、それぞれ、例えば、滑り止め手段の他の例を表した模式図
【図６】（Ａ）は、例えば、胃酸逆流防止摸式図を付けたマット付き枕の使用状態を示す概略図、（Ｂ）は、例えば、胃酸逆流摸式図を付けた比較例の枕の使用状態を示す概略図
【図７】マット付き枕の使用状態を上から見た一例
【発明を実施するための形態】
【００１８】
以下において、本発明を実施するための形態について説明する。
【００１９】
尚、本明細書中の「ポリウレタン」は、特に断らない限り、「発泡ポリウレタン」を表している。加えて、固いポリウレタン層は、密度が２５ｋｇ／ｍ３以上の低反発性ポリウレタン、高通気性ポリウレタン、あるいは、高密度・高反発性ポリウレタンからなり、固いポリウレタン層以外の部分は、密度が２０ｋｇ／ｍ３以下の所謂ソフトポリウレタンからなる。以下において、発泡ポリウレタンは、単にウレタンと略して記載する。
【００２０】
図１は本発明による一実施形態のマット付き枕１を示す斜視図、図２は側面図である。また、図面では、図示の左右方向を利用者Ｈの身長方向（縦方向）、図示の前後方向を幅方向とする。
【００２１】
マット付き枕１は、図１、２に示すように、利用者Ｈの頭部Ｈ１および頸部Ｈ２の一部３００ａを支える枕部３と、利用者Ｈの頸部Ｈ２から胸部Ｈ３を経て腰部Ｈ４付近までの他部３００ｂを支えるシート状のマット部２と、で構成される。また、利用者Ｈの頭部Ｈ１から頸部Ｈ２を支える部位を頭支持部１０ａ、頸部Ｈ２から胸部Ｈ３を経て腰部Ｈ４を支える部位を体支持部１０ｂとする。
【００２２】
頭支持部１０ａと体支持部１０ｂとの境界は、明確な位置にて特定されるものではなく、両者の範囲が一部で重複する場合が一般的な形態である。この点は、利用者Ｈの身長や体格によっても同様に変化する。更に、腰部Ｈ４付近とは、利用者Ｈの腰部Ｈ４（腰椎）に達している場合はもちろん、腰部Ｈ４の直前に位置する腰椎の最下部に達している場合も含む。この点も、利用者Ｈの身長や体格によっても変化する。
【００２３】
頭支持部１０ａは、垂直断面において、頭上側凸条部４、頸部側凸条部５、および、頭上側凸条部４と頸部側凸条部５との間に位置し、且つ下向きに緩く窪んだ頭部用凹溝部６を有している。頭部用凹溝部６は、頭支持部１０ａの幅方向の全長に沿って配置され、利用者Ｈの後頭部あるいは側頭部を支える。
【００２４】
因みに、図２の側面図において、マット付き枕１の底面１６からの高さは、例えば、頭上側凸条部４の最上部が約９ｃｍ、頸部側凸条部５の最上部が約１０ｃｍ、頭部用凹溝部６の最下部が約８ｃｍである。尚、図１中で示すように、頭支持部１０ａの直下の底面１６側には、利用者Ｈの体格に応じて、所要枚数の高さ調整用シート（マット）２０を敷設しても良い。
【００２５】
また、図１、２に示すように、体支持部１０ｂは、垂直断面視で、頸部側凸条部５の頭部用凹溝部６とは反対側の位置から利用者Ｈの胸部Ｈ３までに亘って、底面１６側に接近するように緩く傾斜した傾斜面１１と、利用者Ｈの胸部Ｈ３から腰部Ｈ４付近まで伸びた水平面１２と、を有している。因みに、傾斜面１１の傾斜は、例えば、底面１６からの高さが約１０ｃｍ弱〜約３ｃｍ強の範囲で付けられている。また、水平面１２の底面１６からの高さは、約３ｃｍである。
【００２６】
尚、水平面１２は、完全な水平面ではなく、その平面方向に沿って、上下方向に数ｍｍずつ変化する凹凸を含む形態、あるいは、仮想の水平面に対して、±１度以下で極緩く傾斜している、ほぼ水平状の平面である形態も含んでいる。
【００２７】
更に、頭支持部１０ａおよび体支持部１０ｂは、これら全体が平面視で長方形状を呈する。加えて、頭支持部１０ａの上面側および体支持部１０ｂにおける幅方向の中央部には、これら以外の部分（次述するマット部２）を構成するソフトウレタンよりも固いウレタン層１５が、平面視でＴ字形状にして配置されている。因みに、マット付き枕１は、例えば、利用者Ｈの身長方向の長さが約７７〜８０ｃｍ強で、且つ幅方向の長さが約６０〜１００ｃｍである。
【００２８】
尚、マット部２は、図３の分解斜視図で示し、且つ後述するように、平面視でＴ字形状を呈する固いウレタン層１５で形成される枕部３が嵌め込まれる、凹部（Ｔ字形状薄肉部）８を備えている。
【００２９】
マット部２は、例えば、比較的柔軟で且つ軽量（低密度）なソフトウレタンからなり、枕部３の頭側を載置する水平面８ａ、および幅方向で一対の縦壁面８ｂと、体支持部１０ｂの幅方向の中央部に上向きに開口し、且つ細長く緩くカーブした傾斜溝９とからなり、平面視で全体がＴ字形状の凹部８を有している。傾斜溝９は、例えば、滑り台の内側部分の形態に相当するものとも言い得る。
【００３０】
一方、枕部３（固いウレタン層１５でなる）は、例えば、低反発ウレタンからなり、図３に示すように、頭支持部１０ａの上面側と、頭支持部１０ａの頸部側凸条部５の幅方向の中央部から、図３の右方向へ向かって、斜め下側に傾斜した傾斜部１１ｂと、傾斜部１１ｂから利用者の腰部付近まで細長く且つ薄く伸びた水平状部１２ｂと、を一体に有している。傾斜部１１ｂおよび水平状部１２ｂの厚みは、図３の例では水平上部１２ｂがより薄肉となっているが、ほぼ一定状もあり得る。
【００３１】
尚、傾斜部１１ｂおよび水平状部１２ｂにおける幅方向の両側には、マット部２における一対ずつの傾斜部１１ａおよび水平状部１２ａが位置している。図４で示すように、傾斜部１１ａ及び水平状部１２ａの表面は、凹凸形状でなる滑り止め素材でなり、傾斜部１１ａ及び水平状部１２ａに位置する、利用者Ｈの両肩及び背中の滑りやずれを防止することもあり得る。図５は滑り止め手段の他の例である。また、体支持部１０ｂにおける利用者Ｈの腰部側の端部は、マット部２側における一対の端辺１３と、枕部３（固いウレタン層１５）側の端辺１４とによって構成され、これらの端辺１３、１４は、ゆるやかな曲面となっている。
【００３２】
図２で示す体支持部１０ｂの傾斜面１１は、傾斜部１１ａ、１１ｂによって形成され、体支持部１０ｂの水平面１２は、水平状部１２ａ、１２ｂによって形成されている。従って、図３中で下向きの矢印で示すように、マット部２の凹部８の水平面８ａ上に固いウレタン層１５（枕部３）の頭側を載置し、且つマット部２の傾斜溝９内に固いウレタン層１５（枕部３）の傾斜部１１ｂおよび水平状部１２ｂを嵌め込むことで、マット付き枕１を精度良く、且つ、容易に組み立てることができる。尚、マット付き枕１は、図１、２の状態で、その外側面の全体を覆う綿布などからなり、且つ、例えば、ファスナー付きの布製シート（図示せず）でカバーされる。
【００３３】
以下において、マット付き枕１の使用状態を、比較例の枕３０の使用状態と併せて説明する。図６（Ａ）に示すように、マット付き枕１の上側に利用者Ｈが上向きに仰臥すると、利用者Ｈの後頭部は、頭支持部１０ａの頭上側凸条部４、頭部用凹溝部６、および頸部側凸条部５に支えられ、利用者Ｈの肩部を含む上半身は、体支持部１０ｂの傾斜面１１および水平面１２に支えられる。その結果、利用者Ｈの脊椎Ｂ１は、そのほぼ全体（頸椎、胸椎、および、少なくとも腰椎の上部）を緩く滑らかで自然な曲線状に支持し易くなり、就寝中における利用者Ｈの頸椎に加わる負担を低減できる。
【００３４】
また、図６（Ａ）に示すように、頸部側凸条部５および傾斜面１１によって、就寝中の利用者Ｈの仰臥時における食道Ｓ１が、喉から胃２５に向かって緩く傾斜して下がる姿勢となるため、胃酸が喉側に逆流し難くなるので、例えば、誤嚥性肺炎の発生を抑制することができる。更に、就寝中の利用者Ｈの上半身の気管や臓器に対し、利用者Ｈの脊椎Ｂ１が、不要な圧迫感を与えにくくなるので、安全で快適な眠りを得る実益がある。
【００３５】
また、頭支持部１０ａの上面側および体支持部１０ｂにおける幅方向の中央部に、固いウレタン層１５がＴ字形状で配置されているため、利用者Ｈの背中の中心部が支えられ、それによって、肩の端と、腕の重さで胸が開き、猫背がまっすぐになり、リラックスした姿勢になる。利用者Ｈが仰臥から側臥に寝返った際に、下側となる肩と腕がゆっくり沈み込んで体重を分散させ、腕が痺れにくくなるので、寝返りが自然に行い易くなる。加えて、体支持部１０ｂの端辺１３、１４が、ゆるやかな曲面となっているため、利用者Ｈの仰臥時において、臀部を除いた上半身全体を、臀部を含む下半身よりも上方側に移動させて就寝できるので、背筋を伸ばした正しい姿勢を保ち易くなる特徴がある。
【００３６】
一方、図６（Ｂ）に示すように、特許文献１、２における比較例の枕３０の上側に利用者Ｈが上向きに仰臥すると、利用者Ｈの後頭部および頸椎部は、枕３０の頭部支持部および頸椎部支持部に支えられ、利用者Ｈの肩部付近のみが、係る肩部の直下に位置し、且つ上部頸椎部を支える胸椎部支持部の傾斜面に支えられる。その結果、利用者Ｈの脊椎Ｂ２は、胸椎の中程で屈曲状となるため、就寝中における利用者Ｈの頸椎に加わる負担が低減されにくくなる。
【００３７】
また、図６（Ｂ）に示すように、比較例の枕３０によって、利用者Ｈの仰臥時における食道Ｓ２が、喉から胃２５に向かって湾曲しつつ水平又は上向きの姿勢となるため、胃酸が喉側に逆流し易くなり、例えば、誤嚥性肺炎を誘発させる虞が生じ得る。更に、就寝中の利用者Ｈの上半身の気管や臓器に対し、比較例の枕３０が支えず、敷布団の表面で直に支持されるため、利用者Ｈの脊椎Ｂ２に、不要な圧迫感を与え易くなるので、安全で快適な眠りを得ることが困難となる。以上のように、マット付き枕１は、比較例の枕３０と比べて、優位性を有することが理解される。
【００３８】
尚、マット付き枕１は、前述した実施の形態に限定されるものではない。例えば、固いウレタン層１５は、高通気性ポリウレタン、または、高密度・高反発性ポリウレタンからなるものとしても良い。固いウレタン層１５を高通気性ウレタン製とした場合には、蒸れにくくなるので、長時間に亘って利用する要介護者や疾病者などに好適となる。
【００３９】
更に、マット部２の傾斜溝９は、その開口部側から底面側に向かって徐々に狭くなる垂直断面の形状とし、且つ枕部３（固いウレタン層１５）の傾斜部１１ｂおよび水平状部１２ｂの垂直断面も、前述の形状と相似形状とした形態としても良い。加えて、枕部３（固いウレタン層１５）は、マット部２の凹部８に嵌め込む際に、接着剤を介して一体に接合した形態としても良い。
【００４０】
また、頭支持部１０ａを中心側とし、その周囲に体支持部１０ｂを円周形状に巻き付けると、全体としてコンパクトに収納し易くなるので、キャンプや登山などの野外活動、または、流行性疾病対策時の臨時病床などにも、容易に活用することもできる。
【００４１】
尚、本発明において、枕部３とマット部２との嵌め込みＢ（組合せ線部）間に形成した隙間４０を備える構成とすることで、熱気の逃がし効果とか、巻込み、折畳み等の利便性が期待できる。また図示しないが、この隙間４０に段差を設けることで、枕部３のマット部２からの脱離防止効果も考えられる。
【産業上の利用可能性】
【００４２】
本発明によれば、就寝時における利用者の脊椎のほぼ全体を緩く滑らかで自然な曲線状にして支持し、頸椎に加わる負担を十分に低減でき、上半身の気管や臓器に対して、不要な圧迫感を与えにくいと共に、スムーズな寝返りを自然に行えるマット付き枕を提供できる。
【００４３】
上述した説明とそれぞれの図面は、本発明の好ましい一例であって、この説明と各図面に限定されない。従って、発明の趣旨の範囲において構成の一部を変更する構造とか、同じ特徴と効果を達成できる構造、等は、本発明の範疇である。
【符号の説明】
【００４４】
１  マット付き枕
２  マット部
３  枕部
４  頭上側凸条部
５  頸部側凸条部
６  頭部用凹溝部
８  凹部（Ｔ字形状薄肉部）
８ａ  水平面
８ｂ  縦壁面
９  傾斜溝
１０ａ  頭支持部
１０ｂ  体支持部
１１  傾斜面
１１ａ，１１ｂ  傾斜部
１２  水平面
１２ａ，１２ｂ  水平状部
１３，１４  端辺
１５  固いウレタン層
１６  底面
２０  高さ調整用シート（マット）
２５  胃
３０  比較例の枕
４０  隙間
３００ａ  一部
３００ｂ  他部
Ｂ  嵌め込み
Ｈ  利用者
Ｈ１  頭部
Ｈ２  頸部
Ｈ３  胸部
Ｈ４  腰部
Ｂ１，Ｂ２  脊椎
Ｓ１，Ｓ２  食道
【要約】      （修正有）【課題】就寝時における利用者の脊椎のほぼ全体を緩く滑らかで自然な曲線状で支持し、頸椎に加わる負担を十分に低減でき、上半身の気管や臓器に対し、不要な圧迫感を与えにくく、スムーズな寝返りを自然に行えるマット付き枕を提供する。【解決手段】マット付き枕１は、頭部、頸部および胸部を経て腰部の一部を支える枕部３と、当該枕部を載置し、且つ、頸部から胸部を経て腰部の他部を支えるシート状のマット部２、で成り、頭部および頸部を支える頭支持部１０ａと、頸部から胸部を経て腰部付近までを支えるマット部１０ｂとを一体に備える。頭支持部１０ａおよび体支持部１０ｂは、全体が平面視で長方形状を呈し、頭支持部１０ａの上面側および体支持部１０ｂにおける幅方向の中央部には、平面視で、これら以外の部分を構成するウレタンよりも固いウレタン層１５がＴ字形状に配置されている。【選択図】図１【図１】
0006787558.tif 000002
【図２】
0006787558.tif 000003
【図３】
0006787558.tif 000004
【図４】
0006787558.tif 000005
【図５】
0006787558.tif 000006
【図６】
0006787558.tif 000007
【図７】
0006787558.tif 000008